(57)【特許請求の範囲】
【請求項１】
平坦な薄板状で幅と長さを有する矩形の鉄板と、
前記鉄板の上面と平行で前記鉄板の長さ方向に長手方向を有し、前記鉄板の幅方向に間隔をおいて延在し前記鉄板の上面に固定される複数の補強部材と、
前記隣り合う補強部材の間に前記長さ方向に延在した状態で配設される非強度材料からなる中空の筒状部材と、
前記筒状部材を前記補強部材または鉄板に対して移動不能に保持する保持部材とを備えた鉄筋付型枠鉄板であって、
前記補強部材は、それぞれ１本の上弦材、２本の下弦材、２本の斜材とを備えて構成され、
前記２本の各斜材は、前記鉄板の上面に位置する下端部と、下端部から斜めに起立し上端の屈曲部を介して斜めに下降する連結部とが繰り返して形成されることにより波形を呈し、
前記２本の斜材は、それらの下端部が前記幅方向に間隔をおいて鉄板に固定されると共に前記長さ方向から見た場合に前記上端の屈曲部が互いに近づく方向に鉄板に対して斜めに起立し上端の屈曲部が互いに連結されて２等辺三角形の等しい２辺を構成するように設けられ、
前記上弦材は前記２本の斜材の上端に連結して配設され、
前記２本の下弦材は前記２本の各斜材の下部に連結して配設され、
前記保持部材は、前記筒状部材の上方において前記幅方向に延在し前記複数の補強部材の部分に固定された第１部材と、前記筒状部材の下方において前記幅方向に延在し前記複数の補強部材の部分に固定された第２部材と、前記筒状部材の上方において前記幅方向に延在し前記複数の補強部材の部分に固定された第３部材とを有し、
前記保持部材による前記筒状部材の保持は、前記第１部材が前記筒状部材の上部に当接して前記筒状部材の上方向への移動を規制し、前記第２部材が前記筒状部材の下部に当接して前記筒状部材の下方向への移動を規制し、前記第３部材が前記筒状部材の上部に固定されることで前記筒状部材の前記長さ方向および幅方向への移動を規制することによって行なわれる、
ことを特徴とする鉄筋付型枠鉄板。
【請求項２】
前記第１部材と第２部材は鉄筋で構成され、第３部材はベルトで構成されていることを特徴とする請求項１記載の鉄筋付型枠鉄板。
【請求項３】
平坦な薄板状で幅と長さを有する矩形の鉄板と、
前記鉄板の上面と平行で前記鉄板の長さ方向に長手方向を有し、前記鉄板の幅方向に間隔をおいて延在し前記鉄板の上面に固定される複数の補強部材と、
前記隣り合う補強部材の間に前記長さ方向に延在した状態で配設される非強度材料からなる中空の筒状部材と、
前記筒状部材を前記補強部材または鉄板に対して移動不能に保持する保持部材とを備えた鉄筋付型枠鉄板であって、
前記補強部材は、それぞれ１本の上弦材、２本の下弦材、２本の斜材とを備えて構成され、
前記２本の各斜材は、前記鉄板の上面に位置する下端部と、下端部から斜めに起立し上端の屈曲部を介して斜めに下降する連結部とが繰り返して形成されることにより波形を呈し、
前記２本の斜材は、それらの下端部が前記幅方向に間隔をおいて鉄板に固定されると共に前記長さ方向から見た場合に前記上端の屈曲部が互いに近づく方向に鉄板に対して斜めに起立し上端の屈曲部が互いに連結されて２等辺三角形の等しい２辺を構成するように設けられ、
前記上弦材は前記２本の斜材の上端に連結して配設され、
前記２本の下弦材は前記２本の各斜材の下部に連結して配設され、
前記保持部材は、筒状部材の外周部分を抱持し筒状部材の半径方向および長手方向の移動を不能とする湾曲部と、この湾曲部の両端に設けられ前記補強部材の部分または前記鉄板の部分に係脱可能な係止部とで構成されている、
ことを特徴とする鉄筋付型枠鉄板。
【請求項４】
前記筒状部材は、前記保持部材により前記補強部材または鉄板に対して着脱可能に設けられていることを特徴とする請求項３記載の鉄筋付型枠鉄板。
【請求項５】
前記非強度材料は紙、合成樹脂、金属の何れかであることを特徴とする請求項１乃至４に何れか１項記載の鉄筋付型枠鉄板。
【請求項６】
請求項１乃至５の何れかに記載の鉄筋付型枠鉄板の前記鉄板の上面に、前記補強部材と筒状部材と保持部材とが埋設されるようにコンクリートが打設されて形成された構造物の床スラブ。
【請求項７】
幅と長さを有する鉄板と、前記鉄板の上面に前記長さ方向に延在し前記幅方向に間隔をおいて設けられた複数の補強部材を備える鉄筋付型枠鉄板に、前記鉄板の上面で隣り合う複数の補強部材の間に前記長さ方向に延在して非強度材料からなる中空の筒状部材を配設するための保持部材であって、
前記保持部材は、筒状部材の外周部分を抱持し筒状部材の半径方向および長手方向の移動を不能とする湾曲部と、この湾曲部の両端に設けられ前記補強部材の部分または鉄板の部分に係脱可能な係止部とで構成されている、
ことを特徴とする鉄筋付型枠鉄板用中空の筒状部材の保持部材。
【発明の詳細な説明】
【０００１】
【発明の属する技術分野】
本発明は、鉄筋付型枠鉄板、床スラブ、および鉄筋付型枠鉄板用中空の筒状部材の保持部材に関する。
【０００２】
【従来の技術】
従来から、デッキプレートに、曲げ方向およびせん断方向の力を受ける補強部材をなす鉄筋を固定した鉄筋付型枠鉄板を工場で製作し、その型枠鉄板を建設現場に設置してコンクリートを打設することにより、鉄筋コンクリート床スラブを施工することが行なわれている。
この場合、中空の筒状部材をコンクリートの内部に埋め込むことで鉄筋コンクリート床スラブの軽量化を図ることが提案されている。
【０００３】
【発明が解決しようとする課題】
しかしながら、従来の鉄筋付型枠鉄板において、補強部材をなす鉄筋は単一の鋼材で構成されているため、施工された床スラブの強度に劣り、そのため、鉄板には断面形状が凹凸のデッキプレートしか使用できない制約があった。
特に、軽量化を図るため、中空の筒状部材をコンクリートの内部に埋め込む場合には、床スラブの強度はさらに弱くならざるを得ず、何らかの改善が望まれていた。
本発明は、上記のような事情のもとになされたもので、その目的は、強度を確保でき、しかも軽量化を達成できる鉄筋付型枠鉄板、床スラブを提供することにある。
また、本発明の目的は、中空の筒状部材を鉄筋付型枠鉄板に簡単に取付けることができる保持部材を提供することにある。
【０００４】
【課題を解決するための手段】
本発明の鉄筋付型枠鉄板は、平坦な薄板状で幅と長さを有する矩形の鉄板と、前記鉄板の上面と平行で前記鉄板の長さ方向に長手方向を有し、前記鉄板の幅方向に間隔をおいて延在し前記鉄板の上面に固定される複数の補強部材と、前記隣り合う補強部材の間に前記長さ方向に延在した状態で配設される非強度材料からなる中空の筒状部材と、前記筒状部材を前記補強部材または鉄板に対して移動不能に保持する保持部材とを備えた鉄筋付型枠鉄板であって、前記補強部材は、それぞれ１本の上弦材、２本の下弦材、２本の斜材とを備えて構成され、前記２本の各斜材は、前記鉄板の上面に位置する下端部と、下端部から斜めに起立し上端の屈曲部を介して斜めに下降する連結部とが繰り返して形成されることにより波形を呈し、前記２本の斜材は、それらの下端部が前記幅方向に間隔をおいて鉄板に固定されると共に前記長さ方向から見た場合に前記上端の屈曲部が互いに近づく方向に鉄板に対して斜めに起立し上端の屈曲部が互いに連結されて２等辺三角形の等しい２辺を構成するように設けられ、前記上弦材は前記２本の斜材の上端に連結して配設され、前記２本の下弦材は前記２本の各斜材の下部に連結して配設され、前記保持部材は、前記筒状部材の上方において前記幅方向に延在し前記複数の補強部材の部分に固定された第１部材と、前記筒状部材の下方において前記幅方向に延在し前記複数の補強部材の部分に固定された第２部材と、前記筒状部材の上方において前記幅方向に延在し前記複数の補強部材の部分に固定された第３部材とを有し、前記保持部材による前記筒状部材の保持は、前記第１部材が前記筒状部材の上部に当接して前記筒状部材の上方向への移動を規制し、前記第２部材が前記筒状部材の下部に当接して前記筒状部材の下方向への移動を規制し、前記第３部材が前記筒状部材の上部に固定されることで前記筒状部材の前記長さ方向および幅方向への移動を規制することによって行なわれることを特徴とする。
また、本発明の鉄筋付型枠鉄板は、平坦な薄板状で幅と長さを有する矩形の鉄板と、前記鉄板の上面と平行で前記鉄板の長さ方向に長手方向を有し、前記鉄板の幅方向に間隔をおいて延在し前記鉄板の上面に固定される複数の補強部材と、前記隣り合う補強部材の間に前記長さ方向に延在した状態で配設される非強度材料からなる中空の筒状部材と、前記筒状部材を前記補強部材または鉄板に対して移動不能に保持する保持部材とを備えた鉄筋付型枠鉄板であって、前記補強部材は、それぞれ１本の上弦材、２本の下弦材、２本の斜材とを備えて構成され、前記２本の各斜材は、前記鉄板の上面に位置する下端部と、下端部から斜めに起立し上端の屈曲部を介して斜めに下降する連結部とが繰り返して形成されることにより波形を呈し、前記２本の斜材は、それらの下端部が前記幅方向に間隔をおいて鉄板に固定されると共に前記長さ方向から見た場合に前記上端の屈曲部が互いに近づく方向に鉄板に対して斜めに起立し上端の屈曲部が互いに連結されて２等辺三角形の等しい２辺を構成するように設けられ、前記上弦材は前記２本の斜材の上端に連結して配設され、前記２本の下弦材は前記２本の各斜材の下部に連結して配設され、前記保持部材は、筒状部材の外周部分を抱持し筒状部材の半径方向および長手方向の移動を不能とする湾曲部と、この湾曲部の両端に設けられ前記補強部材の部分または前記鉄板の部分に係脱可能な係止部とで構成されていることを特徴とする。
そのため、補強部材は、２本の斜材がそれらの下端部が幅方向に間隔をおいて鉄板の上面に固定されると共に上端の屈曲部が互いに連結されて、長さ方向から見た場合に２等辺三角形の等しい２辺を構成する、いわゆる立体構造となっているため、高い強度を得ることができる。
また、中空の筒状部材を用いても、断面が凹凸のデッキプレートの制約を受けること無く、平坦な鉄板を用いることが可能となる。
また、筒状部材がコンクリート内に埋め込まれているため、鉄筋付型枠鉄板の長さ方向の寸法をより大きく確保することができる。
【０００５】
また、本発明の床スラブは、請求項１乃至５の何れかに記載の鉄筋付型枠鉄板の前記鉄板の上面に、前記補強部材と筒状部材と保持部材とが埋設されるようにコンクリートが打設されて形成されることを特徴とする。
そのため、上記した鉄筋付型枠鉄板と同様の作用効果を奏することができる。
【０００６】
また、本発明の鉄筋付型枠鉄板用中空の筒状部材の保持部材は、幅と長さを有する鉄板と、前記鉄板の上面に前記長さ方向に延在し前記幅方向に間隔をおいて設けられた複数の補強部材を備える鉄筋付型枠鉄板に、前記鉄板の上面で隣り合う複数の補強部材の間に前記長さ方向に延在して非強度材料からなる中空の筒状部材を配設するための保持部材であって、前記保持部材は、筒状部材の外周部分を抱持し筒状部材の半径方向および長手方向の移動を不能とする湾曲部と、この湾曲部の両端に設けられ前記補強部材の部分または鉄板の部分に係脱可能な係止部とで構成されていることを特徴とする。
【０００７】
そのため、保持部材の湾曲部で筒状部材を抱持させるとともに、保持部材の係止部を補強部材の部分または鉄板の部分に係止させることで筒状部材を補強部材の部分または鉄板の部分に容易に固定することができ、床スラブの施工を簡素化することができる。
【０００８】
【発明の実施の形態】
次に、図面を参照して本発明の鉄筋付型枠鉄板の実施の形態について説明する。
図１は本発明の鉄筋付型枠鉄板の第１の実施の形態の構成を示す構成図であり、図１（Ａ）は側面図、図１（Ｂ）は図１（Ａ）を矢印Ａ方向から見た状態を示す正面図である。
以下では、鉄筋付型枠鉄板の第１の実施の形態を説明することで本発明の床スラブの実施の形態についての説明を兼ねることにする。
まず、図１を参照して第１の実施の形態の鉄筋付型枠鉄板の構成について説明する。
鉄筋付型枠鉄板１００は、１枚の鉄板１０、複数の補強部材２０、複数の筒状部材３０、保持部材４０などを備えて構成されている。
鉄板１０は、平坦な薄板状で幅と長さを有する矩形を呈している。図中、矢印Ｘは幅方向を矢印Ｙは長さ方向を示している。
【０００９】
１つの補強部材２０は、鉄板１０の上面１２と平行で鉄板１０の長さ方向に長手方向を有し、鉄板１０の幅方向に間隔をおいて延在し鉄板１０の上面１２に固定されている。
補強部材２０は、曲げ方向およびせん断方向の力を受けるものであって、一本の上弦材２２、２本の下弦材２４、２４、２本の斜材２６、２６から構成されている。
２本の各斜材２６、２６は、鉄板１０の上面１２に位置する下端部２６Ａと、下端部２６Ａから斜めに起立し上端の屈曲部２６Ｂを介して斜めに下降する連結部２６Ｃとが繰り返して形成されることにより波形を呈している。
【００１０】
そして、２本の斜材２６、２６は、それらの下端部２６Ａが幅方向に間隔をおいて鉄板１０の上面１２に溶接によって固定されると共に、長さ方向から見た場合に上端の屈曲部２６Ｂが互いに近づく方向に鉄板１０に対して斜めに起立し、本例では上端の屈曲部２６Ｂが上弦材２２を介して互いに溶接によって連結されている。
すなわち、図１（Ｂ）に示されているように、２本の斜材２６、２６は、長さ方向から見た場合に２等辺三角形の等しい２辺を構成するように設けられている。なお、上端の屈曲部２６Ｂ同士を直接連結し、その連結した箇所に上弦材２２を固定してもかまわない。
また、上弦材２２は２本の斜材２６の上端の屈曲部２６Ｂに連結して配設され、本例では２本の下弦材２４は２本の各斜材２６の連結部２６Ｃの下部のうち上記２等辺三角形の内側の箇所に連結して配設されている。なお、２本の下弦材２４は２本の各斜材２６の連結部２６Ｃの下部のうち上記２等辺三角形の外側の箇所に連結して配設されてもかまわない。
また、これら上弦材２２、下弦材２４は鉄板１０から立設された固定柱１４に固定されている。
【００１１】
筒状部材３０は、隣り合う補強部材２０の間に鉄板１０の長さ方向に延在した状態で配設される中空の円筒状を呈しており、円筒状壁部３２とその両端の開口部３４を閉塞する蓋部から構成されている。また、筒状部材３０にはせん断方向の強度を持たせる必要が無いため、非強度材料、例えば紙、合成樹脂、金属などから形成されている。
【００１２】
保持部材４０は、筒状部材３０を補強部材２０に対して移動不能に保持するものであり、第１、第２、第３部材４２、４４、４６を有している。
第１部材４２は、筒状部材３０の上方において幅方向に複数の補強部材２０にわたって延在する鉄筋から構成されており、複数の補強部材２０の部分である上弦材２２に固定されている。
第２部材４４は、筒状部材３０の下方において幅方向に複数の補強部材２０にわたって延在する鉄筋から構成されており、複数の補強部材２０の部分である下弦材２４に固定されている。
第３部材４６は、筒状部材３０の上方において幅方向に複数の補強部材２０にわたって延在するゴムや合成樹脂からなるベルトなどの帯板状の部材から構成され、補強部材２０の部分に固定されている。
【００１３】
第１部材４２は、筒状部材３０の上部に当接して筒状部材３０の上方向への移動を規制するように構成されている。
第２部材４４は、筒状部材３０の下部に当接して筒状部材３０の下方向への移動を規制するように構成されている。
第３部材４６は、筒状部材３０の上部にねじ止めなどによって固定されることで筒状部材３０の長さ方向および幅方向への移動を規制するように構成されている。
このような鉄筋付型枠鉄板１００は工場において製造することができ、完成した鉄筋付型枠鉄板１００を施工現場の建物に建て込んで床スラブを施工することができる。
【００１４】
次に上述した構成の鉄筋付型枠鉄板１００を用いた床スラブの施工方法について説明する。
まず、建築物１の所要位置に複数の鉄筋付型枠鉄板１００を長さ方向および幅方向に並べて建て込む。図中２は、建物１に設けられた例えば鉄骨などの構造物であり、この構造物２に鉄筋付型枠鉄板１００の鉄板１０が固定されるようになっている。
次いで補強部材２０と筒状部材３０と保持部材４０とが埋設されるようにコンクリートを鉄板１０の上面１２に打設する（図１(Ｂ)において符号Ｃは、打設されたコンクリート面を示す）。
この際、打設されたコンクリートによって筒状部材３０は上方に浮き上がったり、また下方に沈みこんだりするが第１、第２保持部材４２、４４の作用によって上方向、下方向の位置が規制される。また、鉄板１０の幅方向と長さ方向に対する筒状部材３０の移動は第３保持部材４６の作用によって規制される。
したがって、筒状部材３０は、コンクリートの打設中に移動すること無く、コンクリート内の位置に保持される。
【００１５】
以上詳述したように、第１の実施の形態によれば、補強部材２０は、２本の斜材２６、２６がそれらの下端部２６Ａが幅方向に間隔をおいて鉄板１０の上面１２に溶接によって固定されると共に上端の屈曲部２６Ｂが上弦材２２を介して互いに溶接によって連結されて図１（Ｂ）に示されているように、長さ方向から見た場合に２等辺三角形の等しい２辺を構成しており、いわゆる立体構造となっているため、高い強度を得ることができる。
そのため、中空の筒状部材を用いても、断面が凹凸のデッキプレートの制約を受けること無く、平坦な鉄板１０を用いることが可能となる。
また、筒状部材３０がコンクリート内に埋め込まれているため、鉄筋付型枠鉄板１００の長さ方向の寸法をより大きく確保することができる。
【００１６】
図２は、本発明の鉄筋付型枠鉄板の第２の実施の形態の構成を示す構成図であり、図２（Ａ）は側面図、図２（Ｂ）は図２（Ａ）を矢印Ａ方向から見た状態を示す正面図である。図２において図１と同一の部分または対応する部分には同一の符号を付しその説明を省略する。
また、以下では、本発明の鉄筋付型枠鉄板の第２の実施の形態を説明することで本発明の床スラブ、床スラブの施工方法および鉄筋付型枠鉄板用中空の筒状部材の保持部材の実施の形態の説明を兼ねることにする。
第２の実施の形態が第１の実施の形態と異なっているのは、保持部材５０の構成であり、保持部材５０が筒状部材３０と補強部材２０に対して着脱可能に設けられている点である。
まず、図２を参照して第２の実施の形態の鉄筋付型枠鉄板の構成について説明する。
保持部材５０は、筒状部材３０の円筒状壁部３２の外周部分を抱持し筒状部材３０の半径方向および長手方向の移動を不能とする湾曲部５２と、この湾曲部５２の両端に設けられ補強部材２０のうち、第２部材２４の部分に係脱可能な係止部５４とで構成されている。
【００１７】
このような鉄筋付型枠鉄板２００によれば、鉄板１０と補強部材２０を工場で製造しておき、その状態で施工現場の建物に建て込んでから筒状部材３０を保持部材５０で補強部材２０に組み込んでから床スラブを施工することができる。
すなわち、まず、建築物１の所要位置に、鉄板１０に補強部材２０を固定した状態の複数の鉄筋付型枠鉄板２００を長さ方向および幅方向に並べて建て込む。
【００１８】
次いで、隣り合う補強部材２０の間に筒状部材３０を配設する。この際、保持部材５０の湾曲部５２を拡張して筒状部材３０の円筒状壁部３２の外周部分に嵌め込んで抱持させ、湾曲部５２の両端に設けられた２つの係止部５４を、第２部材２４の部分に嵌め込む。すなわち、筒状部材２０は、保持部材５０により補強部材２０に対して着脱可能に設けられている。
これによって筒状部材３０は、湾曲部５２によって抱持された状態で補強部材２０に固定され筒状部材３０の半径方向および長手方向の移動が不能となるため、上下方向、鉄板１０の長さ方向および幅方向の位置が規制されることになる。
【００１９】
そして、補強部材２０と筒状部材３０と保持部材５０とが埋設されるようにコンクリートを鉄板１０の上面１２に打設する（図２(Ｂ)において符号Ｃは、打設されたコンクリート面を示す）。
この際、打設されたコンクリートによって筒状部材３０は保持部材５０の作用によって鉄板１０に対して上下方向、長さ方向、幅方向の位置が規制される。
したがって、筒状部材３０は、コンクリートの打設中に移動すること無く、コンクリート内の位置に保持される。
【００２０】
以上詳述したように、第２の実施の形態においても、第１の実施の形態と同様の作用効果を得ることができる。
また、保持部材４０によって筒状部材３０の補強部材２０に対する着脱が容易であるため、施工現場での作業が容易となる利点がある。
【００２１】
また、第２の実施の形態においても、第１の実施の形態と同様に、鉄板１０、補強部材２０、筒状部材３０、保持部材５０を組み立てて完成品として工場で製造しておき、この完成した鉄筋付型枠鉄板２００を施工現場の建物に建て込んで床スラブを施工することもできる。
【００２２】
なお、上述した第１、第２の実施の形態では、保持部材３０、５０を補強部材２０に固定した構成例を示したが、保持部材３０、５０を鉄板１０に固定しても良い。
また、第２の実施の形態では、保持部材５０によって筒状部材３０が固定される鉄筋付型枠鉄板２００の補強部材２０の構成は図２に示されているものに限定されるものではない。
【００２３】
【発明の効果】
以上詳述したように、本発明の鉄筋付型枠鉄板によれば、補強部材は、２本の斜材がそれらの下端部が幅方向に間隔をおいて鉄板の上面に固定されると共に上端の屈曲部が互いに連結されて、長さ方向から見た場合に２等辺三角形の等しい２辺を構成する、いわゆる立体構造となっているため、高い強度を得ることができる。
また、中空の筒状部材を用いても、断面が凹凸のデッキプレートの制約を受けること無く、平坦な鉄板を用いることが可能となる。
また、筒状部材がコンクリート内に埋め込まれているため、鉄筋付型枠鉄板の長さ方向の寸法をより大きく確保することができる。
【００２４】
また、本発明の床スラブは、上記鉄筋付型枠鉄板を用いることによって設けられるため、上記鉄筋付型枠鉄板と同様の作用効果を奏することができる。
【００２６】
また、本発明の鉄筋付型枠鉄板用中空の筒状部材の保持部材によれば、保持部材の湾曲部で筒状部材を抱持させるとともに、保持部材の係止部を補強部材の部分または鉄板の部分に係止させることで筒状部材を補強部材の部分または鉄板の部分に容易に固定することができ、床スラブの施工を簡素化することができる。
【図面の簡単な説明】
【図１】本発明の鉄筋付型枠鉄板の第１の実施の形態の構成を示す構成図であり、図１（Ａ）は側面図、図１（Ｂ）は図１（Ａ）を矢印Ａ方向から見た状態を示す正面図である。
【図２】本発明の鉄筋付型枠鉄板の第２の実施の形態の構成を示す構成図であり、図２（Ａ）は側面図、図２（Ｂ）は図２（Ａ）を矢印Ａ方向から見た状態を示す正面図である。
【符号の説明】
１００、２００  鉄筋付型枠鉄板
１０  鉄板
２０  補強部材
２２  上弦材
２４  下弦材
２６  斜材
３０  筒状部材
４０、５０  保持部材
【図１】
0004303398.tif 000002
【図２】
0004303398.tif 000003